(57)【要約】【課題】固体撮像素子の放熱構造で、効果的な放熱を実現する。【解決手段】固体撮像素子１０７の前面側に配置されるフロント部１０１、１０２、固体撮像素子の背面側に配置されるコネクタ基板１０９、コネクタ基板の背面側に配置される放熱金具１０３、１０４、放熱金具の背面側に配置される押さえバネ１０５、放熱金具の側面側に配置されるファン１１０を有する。コネクタ基板はフロント部と固定される。放熱金具は、押さえバネがコネクタ基板と固定されることで、その押し付け力により固定される。放熱金具は前面側に突起部１０３を有しており、当該突起部がコネクタ基板に形成された穴を貫通して固体撮像素子の背面と接触する。押さえバネとして板バネが用いられる。【選択図】  図１
2012044381.tif 000002
【特許請求の範囲】
【請求項１】
固体撮像素子の放熱構造において、
前記固体撮像素子の前面側に配置されるフロント部と、
前記固体撮像素子の背面側に配置されるコネクタ基板と、
前記コネクタ基板の背面側に配置される放熱金具と、
前記放熱金具の背面側に配置される押さえバネと、
前記放熱金具の側面側に配置されるファンと、を有しており、
前記コネクタ基板は、前記フロント部と固定され、
前記放熱金具は、前記押さえバネが前記コネクタ基板と固定されることで、その押し付け力により固定され、
前記放熱金具は前面側に突起部を有しており、当該突起部が前記コネクタ基板に形成された穴を貫通して前記固体撮像素子の背面と接触し、
前記押さえバネとして板バネが用いられた、
ことを特徴とする固体撮像素子の放熱構造。
【発明の詳細な説明】
【技術分野】
【０００１】
本発明は、ＣＣＤ（Ｃｈａｒｇｅ  Ｃｏｕｐｌｅｄ  Ｄｅｖｉｃｅ）等の固体撮像素子の放熱構造に関する。
【背景技術】
【０００２】
例えば、ＣＣＤ等の撮像素子を用いたカメラ装置において、ＣＣＤカメラ等の放熱構造が実施等されている。
図３及び図４を参照して、従来例に係るＣＣＤカメラの構造例を説明する。図３及び図４は、カメラのＣＣＤ部に関して周辺の構造例を示してある。
図３には、従来例に係るＣＣＤカメラの構造を上から見た断面を示してある。
図４には、従来例に係るＣＣＤカメラの構造を側面（横）から見た断面を示してある。
【０００３】
本例のＣＣＤカメラは、フロントフレーム３０１、シェーディングブロック３０２、放熱金具３０４、ＣＣＤ３０７、ＣＣＤ保持金具３０８、ファン３１０、放熱シート３１３を有している。
本例のＣＣＤカメラでは、ＣＣＤ保持金具３０８にＣＣＤ３０７が固定され、ＣＣＤ保持金具３０８がシェーディングブロック３０２に固定される。また、ＣＣＤ３０７を放熱させるために、放熱金具３０４がシェーディングブロック３０２に固定される。また、ＣＣＤ３０７と放熱金具３０４との間に、放熱シート３１３が挟み込まれる。
【０００４】
本例のＣＣＤカメラでは、ＣＣＤ３０７の熱がＣＣＤ３０７の裏面より放熱シート３１３、放熱金具３０４へ伝わり、側面側に設けられたファン３１０によって強制空冷を行う構造となっている。
【先行技術文献】
【特許文献】
【０００５】
【特許文献１】特開２００８−１０９２２５号公報
【発明の概要】
【発明が解決しようとする課題】
【０００６】
ここで、図３及び図４に示されるようなＣＣＤカメラでは、例えば顧客の要求により、ＣＣＤ３０７を交換可能にする必要がある場合があり、ＣＣＤ３０７の交換を行い易くするためにコネクタ基板が追加される構造がある。
しかしながら、コネクタ基板が追加されると、これによりＣＣＤ３０７の背面側のスペースが狭くなり、従来の放熱構造を採用することができなくなってしまうという問題があった。
また、従来の放熱構造では、放熱金具３０４がネジで固定されるため、部品の寸法精度によって放熱金具３０４がＣＣＤ３０７に加える負荷にばらつきがあるという問題があった。
【０００７】
本発明は、このような従来の事情に鑑み為されたもので、効果的な放熱が実現される固体撮像素子の放熱構造を提供することを目的とする。
一実施例として、ＣＣＤ等の固体撮像素子の交換を容易に行うことができ、狭いスペースで放熱が可能であり、ＣＣＤ等の固体撮像素子に与える機械的負荷を軽減することができる固体撮像素子の放熱構造を提供することを目的とする。
【課題を解決するための手段】
【０００８】
上記目的を達成するため、本発明では、固体撮像素子の放熱構造において、次のような構成とした。
すなわち、前記固体撮像素子の前面側に配置されるフロント部と、前記固体撮像素子の背面側に配置されるコネクタ基板と、前記コネクタ基板の背面側に配置される放熱金具（複数の金具が組み合わされた放熱金具部が用いられてもよい）と、前記放熱金具の背面側に配置される押さえバネと、前記放熱金具の側面側に配置されるファンを有する。
前記コネクタ基板は、前記フロント部と（例えば、前記フロント部に設けられた所定の長さを有する支柱を用いて）固定される。
前記放熱金具は、前記押さえバネが前記コネクタ基板と固定されることで、その押し付け力により固定される。
前記放熱金具は前面側に突起部を有しており、当該突起部が前記コネクタ基板に形成された穴を貫通して前記固体撮像素子の背面と接触する。
前記押さえバネとして板バネが用いられる。
【０００９】
従って、効果的な放熱が実現される固体撮像素子の放熱構造となる。
例えば、コネクタ基板が設けられているため、ＣＣＤ等の固体撮像素子の交換を容易に行うことができる。また、固体撮像素子の背面に接触する放熱金具が押さえバネの押し付け力により固定されるため、例えば、ネジの締結を用いて固定される場合と比べて、固体撮像素子に与える機械的負荷がかからないように（又は、低減されるように）することができる。また、押さえバネとして板バネが用いられるため、比較的、狭いスペースで放熱が可能な構成とすることができる。
また、例えば、支柱を用いてコネクタ基板を固定することにより、コネクタ基板と固体撮像素子との距離が制限されて、固体撮像素子に与える機械的負荷がかからないように（又は、低減されるように）することができる。
【発明の効果】
【００１０】
以上説明したように、本発明に係る固体撮像素子の放熱構造によると、効果的な放熱が実現される。
【図面の簡単な説明】
【００１１】
【図１】本発明の一実施例に係るＣＣＤカメラの構造の背面上方からの分解斜視図を示す図である。
【図２】本発明の一実施例に係るＣＣＤカメラの構造を側面（横）から見た断面を示す図である。
【図３】従来例に係るＣＣＤカメラの構造を上から見た断面を示す図である。
【図４】従来例に係るＣＣＤカメラの構造を側面（横）から見た断面を示す図である。
【発明を実施するための形態】
【００１２】
本発明に係る実施例を図面を参照して説明する。
図１及び図２を参照して、本発明の一実施例に係るＣＣＤカメラの構造例を説明する。図１及び図２は、カメラのＣＣＤ部に関して周辺の構造例を示してある。
図１には、本発明の一実施例に係るＣＣＤカメラの構造の背面上方からの分解斜視図を示してある。
図２には、本発明の一実施例に係るＣＣＤカメラの構造を側面（横）から見た断面を示してある。
【００１３】
本例のＣＣＤカメラは、フロントフレーム１０１、シェーディングブロック１０２、第１の放熱金具（放熱金具Ａ）１０３、第２の放熱金具（放熱金具Ｂ）１０４、押さえバネ１０５、シャフト１０６、ＣＣＤ１０７、ＣＣＤ保持金具１０８、コネクタ基板１０９、ファン１１０、第１の支柱（支柱Ａ）１１１、第２の支柱（支柱Ｂ）１１２を有している。
【００１４】
本例の説明では、図１における左斜め上の方向が前面（表面）の方向であり、図１における右斜め下の方向が背面（裏面）の方向であり、図１における上下の方向がそのまま上下の方向であり、図１における左斜め下及び右斜め上の方向が左右（側面）の方向である、とする。
【００１５】
本例のＣＣＤカメラでは、フロントフレーム１０１とシェーディングブロック１０２とが（本例では、４つのネジで）固定されており、これによりフロント部が構成されている。
ＣＣＤ１０７がＣＣＤ保持金具１０８に固定され、ＣＣＤ保持金具１０８がシェーディングブロック１０２に（本例では、４つのネジで）固定される。
ＣＣＤ１０７の背面から、コネクタ基板１０９が支柱Ｂ１１２で（本例では、４つの支柱Ｂ１１２が４つの支柱Ａ１１１と）固定される。
本例では、ＣＣＤ１０７とコネクタ基板１０９との距離が支柱Ａ１１１によって制限されるため、ＣＣＤ１０７に負荷がかからない構造となっている。ここで、支柱Ａ１１１は、シェーディングブロック１０２から背面方向へ突出させて設けられており、一定の長さを有している。
【００１６】
また、コネクタ基板１０９の背面にはシャフト１０６が設けられており、シャフト１０６が放熱金具Ｂ１０４に設けられた穴に（本例では、４つのシャフト１０６が放熱金具Ｂ１０４に設けられた４つの穴に）通されることで放熱金具Ｂ１０４が位置合わせで案内される構造となっている。
突起部となる放熱金具Ａ１０３については、例えば、事前に、略平面状の放熱金具Ｂ１０４の前面側に取り付けられる。
【００１７】
放熱金具Ａ１０３及び放熱金具Ｂ１０４を組み合わせた放熱金具（放熱金具部）が取り付けられた後に、押さえバネ１０５（本例では、２つの押さえバネ１０５）が放熱金具部の背面から（本例では、各々が２つのネジで）取り付けられる。放熱金具部の側面側にはファン１１０が取り付けられて強制空冷が行われる。
【００１８】
放熱金具部は、コネクタ基板１０９の背面のシャフト１０６によって案内されて、（本例では、放熱金具Ａ１０３が）ＣＣＤ１０７の背面に接触する。本例では、コネクタ基板１０９の中央部やＣＣＤ保持金具１０８の中央部には、放熱金具部の突起部（放熱金具Ａ１０３）を貫通させるための穴が形成されている。
本例では、放熱金具部とＣＣＤ１０７とが押さえバネ１０５によって一定の力で接触するため、ネジの締結に比べて、機械的負荷が軽減される構造となっている。押さえバネ１０５としては、種々なものが用いられてもよいが、本例では、板バネを採用することで、狭いスペースで適度な押し付け力が得られる構造とした。
【００１９】
ここで、本例では、ＣＣＤ保持金具１０８とシェーディングブロック１０２とがネジで固定され、ＣＣＤ保持金具１０８にネジを通すネジ通し穴が設けられており、シェーディングブロック１０２にネジが嵌められるネジ穴が設けられている。
また、本例では、コネクタ基板１０９とシェーディングブロック１０２の支柱Ａ１１１とが支柱Ｂ１１２で固定され、コネクタ基板１０９に支柱Ｂ１１２を通す通し穴が設けられており、支柱Ａ１１１に支柱Ｂ１１２が嵌められる穴が設けられている。
また、本例では、押さえバネ１０５と支柱Ｂ１１２とがネジで固定され、押さえバネ１０５にネジを通すネジ通し穴が設けられており、支柱Ｂ１１２にネジが嵌められるネジ穴が設けられている。
【００２０】
以上のように、本例のＣＣＤカメラの放熱構造では、ＣＣＤ１０７の背面のコネクタ基板１０９の裏面（背面）側に、突起を伸ばした放熱金具（放熱金具部）を設け、放熱金具部の突起部（放熱金具Ａ１０３）がコネクタ基板１０９を貫通してＣＣＤ１０７の背面と接触する構造とした。これにより、ＣＣＤ１０７の背面にコネクタ基板１０９が設けられて狭いスペースとなっても、効果的な放熱構造を実現することができる。
【００２１】
また、本例では、放熱金具部（本例では、放熱金具Ｂ１０４）を左右に大きくし、コネクタ基板１０９の取り付け穴と押さえバネ１０５の取り付け穴を共通で使用することで、狭いスペースでも放熱できる構造とした。
【００２２】
また、本例では、押さえバネ１０５で押し付けることによってＣＣＤ１０７と放熱金具部は一定の圧力で接触する。押さえバネとしては、通常、圧縮コイルバネが使用されるが、本例では、圧縮コイルバネは収縮方向の寸法が必要であるため使用せず（他の構成例として、使用されてもよい）、板バネを用いることで、狭いスペースで圧縮コイルバネと同様な効果が得られる構造とした。このように、本例では、ＣＣＤ１０７の放熱構造において、放熱金具部をＣＣＤ１０７に接触させる際、ＣＣＤ１０７への機械的負荷を軽減させるために、放熱金具部を押さえバネ１０５（本例では、板バネ）によって押し付ける。
【符号の説明】
【００２３】
１０１、３０１・・フロントフレーム、  １０２、３０２・・シェーディングブロック、  １０３・・放熱金具Ａ、  １０４・・放熱金具Ｂ、  １０５・・押さえバネ、  １０６・・シャフト、  １０７、３０７・・ＣＣＤ、  １０８、３０８・・ＣＣＤ保持金具、  １０９・・コネクタ基板、  １１０、３１０・・ファン、  １１１・・支柱Ａ、  １１２・・支柱Ｂ、  ３０４・・放熱金具、  ３１３・・放熱シート、
【図１】
2012044381.tif 000003
【図２】
2012044381.tif 000004
【図３】
2012044381.tif 000005
【図４】
2012044381.tif 000006